(57)【要約】【課題】かつら取付具及びかつらにおいて、簡単かつ確実にかつらを人の頭髪に取付ける。【解決手段】かつら取付具１は、シート状の基材３０と、基材３０の厚み方向に延び頭髪を係止する複数の第１の係止部１０と、基材３０の厚み方向に交差する方向に延び頭髪を係止する複数の第２の係止部２０と、を備える。【選択図】図１
2014189939.tif 000002
【特許請求の範囲】
【請求項１】
シート状の基材と、
前記基材の厚み方向に延び頭髪を係止する複数の第１の係止部と、
前記基材の前記厚み方向に交差する方向に延び頭髪を係止する複数の第２の係止部と、
を備えることを特徴とするかつら取付具。
【請求項２】
前記基材は、前記複数の第１の係止部が設けられた第１の領域と、該第１の領域との間に前記第１の係止部が設けられていない間隙領域を隔てて位置し前記複数の第１の係止部が設けられた第２の領域と、を有することを特徴とする請求項１記載のかつら取付具。
【請求項３】
前記第１の領域に設けられた前記複数の第１の係止部と、前記第２の領域に設けられた前記複数の第１の係止部とは、根元部よりも先端で互いに近接するように湾曲又は傾斜することを特徴とする請求項２記載のかつら取付具。
【請求項４】
前記第１の領域に設けられた前記複数の第１の係止部、及び前記第２の領域に設けられた前記複数の第１の係止部は、前記間隙領域側に位置し他の第１の係止部よりも長さが短い複数の第１の係止部を有することを特徴とする請求項２又は請求項３記載のかつら取付具。
【請求項５】
前記第１の領域及び前記第２の領域に設けられた前記長さが短い複数の第１の係止部は、前記間隙領域側に位置することを特徴とする請求項４記載のかつら取付具。
【請求項６】
前記複数の第２の係止部は、前記厚み方向のうち前記第１の係止部が延びる方向に向かって湾曲することを特徴とする請求項１から請求項５のいずれか１項記載のかつら取付具。
【請求項７】
前記基材は、基材本体と、該基材本体から突出する前記複数の第１の係止部の根元部を覆う被覆部とを有することを特徴とする請求項１から請求項６のいずれか１項記載のかつら取付具。
【請求項８】
毛髪が植設されたかつらベースと、
前記かつらベースに固定された、請求項１から請求項７のいずれか１項記載のかつら取付具と、
を備えることを特徴とするかつら。
【請求項９】
前記複数の第２の係止部は、前記かつらベースの中心に向かう方向及びその反対方向のうち少なくとも一方に延びることを特徴とする請求項８記載のかつら。
【発明の詳細な説明】
【技術分野】
【０００１】
本発明は、シート状の基材と頭髪を係止する係止部とを備えるかつら取付具、及び、かつら取付具を備えるかつらに関する。
【背景技術】
【０００２】
従来、かつらストッパを用いてかつらを人の頭部に固定する手法が知られている。このかつらストッパを用いた手法としては、凹状と凸状とに反転可能なベース部を反転させることで、挟持ピンにより人の頭髪を挟み込む手法が挙げられる（例えば、特許文献１参照）。
【０００３】
上記のかつらストッパは、人の頭髪を挟み込む作業を伴うため、かつらの固定に時間を要することになる。また、場合によっては、人の頭髪を傷めるおそれがある。そこで、面ファスナーの雄型部材のような複数の係止部を備えるかつら取付具を用いて、かつらを人の頭髪に取付ける手法が知られている（例えば、特許文献２及び３参照）。
【先行技術文献】
【特許文献】
【０００４】
【特許文献１】特開昭５６−１６５００５号公報
【特許文献２】実用新案登録第３１３４２８０号公報
【特許文献３】実用新案登録第３１６２７２７号公報
【発明の概要】
【発明が解決しようとする課題】
【０００５】
しかしながら、係止部を用いてかつらを人の頭髪に取付ける場合、係止部が人の頭皮に向かって人の頭髪に差し込まれるため、人の頭皮に沿った方向については固定力が弱いという問題がある。
【０００６】
本発明の目的は、簡単かつ確実にかつらを人の頭髪に取付けることができるかつら取付具及びかつらを提供することである。
【課題を解決するための手段】
【０００７】
本発明のかつら取付具は、シート状の基材と、上記基材の厚み方向に延び頭髪を係止する複数の第１の係止部と、上記基材の上記厚み方向に交差する方向に延び頭髪を係止する複数の第２の係止部と、を備える。
【０００８】
また、上記かつら取付具において、上記基材は、上記複数の第１の係止部が設けられた第１の領域と、この第１の領域との間に上記第１の係止部が設けられていない間隙領域を隔てて位置し上記複数の第１の係止部が設けられた第２の領域と、を有するようにしてもよい。
【０００９】
また、上記かつら取付具において、上記第１の領域に設けられた上記複数の第１の係止部と、上記第２の領域に設けられた上記複数の第１の係止部とは、根元部よりも先端で互いに近接するように湾曲又は傾斜するようにしてもよい。
【００１０】
また、上記かつら取付具において、上記第１の領域に設けられた上記複数の第１の係止部、及び上記第２の領域に設けられた上記複数の第１の係止部は、他の第１の係止部よりも長さが短い複数の第１の係止部を有するようにしてもよい。
【００１１】
また、上記かつら取付具において、上記第１の領域及び上記第２の領域に設けられた上記長さが短い複数の第１の係止部は、上記間隙領域側に位置するようにしてもよい。
【００１２】
また、上記かつら取付具において、上記厚み方向のうち前記第１の係止部が延びる方向に向かって湾曲するようにしてもよい。
【００１３】
また、上記かつら取付具において、上記基材は、基材本体と、この基材本体から突出する上記複数の第１の係止部の根元部を覆う被覆部とを有するようにしてもよい。
【００１４】
本発明のかつらは、毛髪が植設されたかつらベースと、上記かつらベースに固定された上記かつら取付具と、を備える。
【００１５】
また、上記かつらにおいて、上記複数の第２の係止部は、上記かつらベースの中心に向かう方向及びその反対方向のうち少なくとも一方に延びるようにしてもよい。
【発明の効果】
【００１６】
本発明によれば、簡単かつ確実にかつらを人の頭髪に取付けることができる。
【図面の簡単な説明】
【００１７】
【図１】本発明の一実施の形態に係る第１のかつら取付具を示す斜視図である。
【図２】本発明の一実施の形態に係る第２のかつら取付具を示す斜視図である。
【図３】本発明の一実施の形態に係る第３のかつら取付具を示す斜視図である。
【図４】本発明の一実施の形態に係る第４のかつら取付具を示す斜視図である。
【図５】本発明の一実施の形態に係る第５のかつら取付具を示す斜視図である。
【図６】本発明の一実施の形態に係る第６のかつら取付具を示す斜視図である。
【図７Ａ】本発明の一実施の形態に係る第６のかつら取付具の取付け状態を示す斜視図（その１）である。
【図７Ｂ】本発明の一実施の形態に係る第６のかつら取付具の取付け状態を示す斜視図（その２）である。
【図８Ａ】本発明の一実施の形態に係るかつらの内側を示す斜視図である。
【図８Ｂ】本発明の一実施の形態に係るかつらを示す底面図である。
【図９】本発明の一実施の形態に係るかつら取付具の第１の係止部を説明するための平面図である。
【図１０】本発明の一実施の形態に係る第７のかつら取付具を示す斜視図である。
【図１１Ａ】本発明の一実施の形態に係るかつら取付具の基材を説明するための側面図（その１）である。
【図１１Ｂ】本発明の一実施の形態に係るかつら取付具の基材を説明するための側面図（その２）である。
【発明を実施するための形態】
【００１８】
以下、本発明の実施の形態に係るかつら取付具１及びかつら１００について、図面を参照しながら説明する。
【００１９】
図１〜図６は、一実施の形態に係るかつら取付具１を示す斜視図である。
図１〜図６に示すかつら取付具１は、複数の第１の係止部１０と、複数の第２の係止部２０と、シート状の基材３０と、を備える。
【００２０】
第１の係止部１０は、基材３０の厚み方向に延び後述する図８Ａにおいて二点鎖線で示す人の頭部２００の頭髪２０１を係止する。基材３０の「厚み方向」は、基材３０（例えば、第１の係止部１０が設けられた面）に直交する第１の方向（矢印Ｄ１）に対し角度４５度以下の範囲の方向であるものとする。なお、以下の説明においても同様であるが、後述するかつら１００の取付時には、第１の係止部１０は、撓んで４５度の角度を超えることもありうる。
【００２１】
第２の係止部２０は、基材３０の厚み方向に交差する方向に延び頭髪２０１を係止する。「厚み方向に交差する方向」は、基材３０（第１の係止部１０が設けられた面）と平行で第１の方向（矢印Ｄ１）に直交する第２の方向（矢印Ｄ２）に対し、角度４５度以下の範囲の方向であるものとする。なお、以下の説明においても同様であるが、後述するかつら１００の取付時には、第２の係止部２０も、撓んで４５度の角度を超えることもありうる。
【００２２】
なお、図１では、第１の方向（矢印Ｄ１）を一方向のみ図示しているが、その反対方向も第１の方向である。また、図１では、第２の方向（矢印Ｄ２）を一方向のみ図示しているが、第２の方向（矢印Ｄ２）は、第１の方向（矢印Ｄ１）に直交する全ての方向を含む。
【００２３】
第１の係止部１０及び第２の係止部２０は、例えば、先端１０ａ，２０ａに膨出分が形成された棒状（マッシュルーム型）を呈するが、フック型、Ｔ字型（長手方向に直交するように棒出部が延びる形状）などの他の形状を呈していてもよい。また、第１の係止部１０及び第２の係止部２０は、膨出部やフック部が形成されていない１本の棒状を呈していてもよい。その場合には、第１の係止部１０及び第２の係止部２０の表面の摩擦係数が高いことが望ましい。
【００２４】
基材３０は、複数の第１の係止部１０−１が設けられた第１の領域３０ａと、複数の第１の係止部１０−２が設けられた第２の領域３０ｂと、を有する。第１の領域３０ａと第２の領域３０ｂとは、間隙領域３０ｃを隔てて位置する。間隙領域３０ｃには、第１の係止部１０が設けられていない。なお、他の間隙領域３０ｃを隔てた第３以降の領域を設けてもよい。また、間隙領域３０ｃとして、厚み方向に基材３０を貫通する孔を形成してもよい。
【００２５】
かつら取付具１は、基材３０のうち各領域３０ａ，３０ｂ，３０ｃが位置する面（上面）の裏側の底面において、後述する図８Ａ及び図８Ｂに示すかつら１００の内側の面に例えば縫い付けにより固定される。
【００２６】
第１の係止部１０、第２の係止部２０、及び基材３０は、例えば樹脂材料から形成されている。特に第１の係止部１０及び第２の係止部２０は、可撓性を有することが望ましい。
【００２７】
第１の係止部１０及び第２の係止部２０の密度に関して、基材３０の幅が５０ｍｍで奥行きが７ｍｍの場合を例とすると、第１の係止部１０は、例えば、基材３０の幅方向に４列×３０本（計１２０本）配置するとよい。
【００２８】
その場合、第１の係止部１０の密度は、約３４．３本／ｃｍ２となる。第１の係止部１０の密度は、一例ではあるが、３０〜５０／ｃｍ２であることが望ましい。第２の係止部２０は、基材３０の幅方向（長手方向）に延びる側面において、例えば、互いに近接した２本１組となって、間隔を隔てて例えば１５組（３０本）程度配置されている。
【００２９】
なお、第１の係止部１０は、本数を多くすることで係止力が強くなる傾向にあるが、第２の係止部２０は、頭髪２０１を引っ掛けるように係止するため、頭髪２０１を引っ掛けやすいように、第１の係止部１０よりも本数を減らしている。
【００３０】
基材３０の間隙領域３０ｃは、第１の係止部１０と第２の係止部２０との間に、一例であるが２ｍｍ以上５ｍｍ以下の間隙を形成するとよい。間隙領域３０ｃは、基材３０の幅方向に延びるが、領域の形状は特に限定されず、例えば、第１の係止部１０の配置間隔や第２の係止部２０の配置間隔の２倍以上の間隙が設けられていればよい。
【００３１】
図１に示す第１のかつら取付具１−１では、第１の係止部１０は、第１の方向（矢印Ｄ１）に一直線状に延び、第２の係止部２０は、第２の方向（矢印Ｄ２）に一直線状に延びる。
【００３２】
図２に示す第２のかつら取付具１−２では、基材３０の第１の領域３０ａに設けられた複数の第１の係止部１０−１と、第２の領域３０ｂに設けられた複数の第１の係止部１０−２とは、根元部１０ｂよりも先端１０ａで互いに近接するように傾斜する。傾斜角度は、第１の方向（矢印Ｄ１）に対し４５度以下である。
【００３３】
図３に示す第３のかつら取付具１−３では、基材３０の第１の領域３０ａに設けられた複数の第１の係止部１０−１は、間隙領域３０ｃ側に位置し他の第１の係止部１０−１Ａ（高さｈ２）よりも長さが短い複数の第１の係止部１０−１Ｂ（高さｈ１）を有する。長さの長い第１の係止部１０−１Ａと、長さの短い第１の係止部１０−１Ｂとは、基材３０の幅方向に、それぞれ１列ずつ配置されている。
【００３４】
同様に、基材３０の第２の領域３０ｂに設けられた複数の第１の係止部１０−２は、間隙領域３０ｃ側に位置し他の第１の係止部１０−２Ａ（高さｈ２）よりも長さが短い複数の第１の係止部１０−２Ｂ（高さｈ１）を有する。長さの長い第１の係止部１０−２Ａと、長さの短い第１の係止部１０−２Ｂとは、基材３０の幅方向に、それぞれ１列ずつ配置されている。
【００３５】
なお、間隙領域３０ｃ側に長さの短い第１の係止部１０−１Ｂ，１０−２Ｂを配置するのではなく、長さの長い第１の係止部１０−１Ａ，１０−２Ａと、長さの短い第１の係止部１０−１Ｂ，１０−２Ｂとを混在させてもよい。
【００３６】
図４に示す第４のかつら取付具１−４では、基材３０の第１の領域３０ａに設けられた複数の第１の係止部１０−１と、第２の領域３０ｂに設けられた複数の第１の係止部１０−２とは、根元部１０ｂよりも先端１０ａで互いに近接するように湾曲する。なお、本実施の形態における第１の係止部１０の湾曲の度合いは、第１の方向（矢印Ｄ１）に対し４５度傾斜した場合よりも拡がらないように湾曲するものとする。
【００３７】
図５に示す第５のかつら取付具１−５の第１の係止部１０は、図４に示す第４のかつら取付具１−４の第１の係止部１０と同一である。
【００３８】
図５に示す第５のかつら取付具１−５の第２の係止部２０は、厚み方向に向かって湾曲する。なお、本実施の形態における第２の係止部２０の湾曲の度合いは、第２の方向（矢印Ｄ２）に対し４５度傾斜した場合よりも拡がらないように湾曲するものとする。
【００３９】
第２の係止部２０は、第２の方向（矢印Ｄ２）に対し４５度以下で傾斜していてもよい。湾曲又は傾斜する方向は、人の頭部２００に沿うように、厚み方向のうち第１の係止部１０が延びる方向であるとよい。
【００４０】
図６に示す第６のかつら取付具１−６の第２の係止部２０は、図５に示す第５のかつら取付具１−５の第２の係止部２０と同一である。
【００４１】
図６に示す第６のかつら取付具１−６では、基材３０の第１の領域３０ａに設けられた複数の第１の係止部１０−１と、第２の領域３０ｂに設けられた複数の第１の係止部１０−２とは、根元部１０ｂよりも先端１０ａで互いに近接するように湾曲する。
【００４２】
また、図６に示す第６のかつら取付具１−６は、図３に示す第３のかつら取付具１−３と同様に、基材３０の第１の領域３０ａ及び第２の領域３０ｂに設けられた複数の第１の係止部１０−１，１０−２は、間隙領域３０ｃ側に位置し他の第１の係止部１０−１Ａ，１０−２Ａ（高さｈ２）よりも長さが短い複数の第１の係止部１０−１Ｂ，１０−２Ｂ（高さｈ１）を有する。
【００４３】
図１〜図６に示すかつら取付具１には、上述のように、基材３０に間隙領域３０ｃが設けられている。そのため、図７Ａ及び図７Ｂに示すように、第１の領域３０ａに設けられた複数の第１の係止部１０−１、及び第２の領域３０ｂに設けられた複数の第１の係止部１０−２は、図８Ａに示す人の頭部２００や頭髪２０１に接触した際に、間隙領域３０ｃ側に傾きやすくなる。
【００４４】
そのため、第１の領域３０ａに設けられた複数の第１の係止部１０−１の先端１０ａと、第２の領域３０ｂに設けられた複数の第１の係止部１０−２の先端１０ａとが、絡み合って或いは互いに対向して、図８Ａに示す頭髪２０１を確実に係止することができる。
【００４５】
第１の係止部１０−１，１０−２が絡み合った際には、図９に示すように、第１の領域３０ａに設けられた複数の第１の係止部１０−１と、第２の領域３０ｂに設けられた複数の第１の係止部１０−２とは、配列方向である基材３０の幅方向に交互に並んで対向するように配置されているとよい。
【００４６】
なお、図８Ａ及び図８Ｂに示すように、第２の係止部２０は、例えば、かつらベース１０１の中心１０１ａ（図８Ｂ参照）に向かう方向に延びるため、頭髪２０１を係止しやすいといえる。一方、第２の係止部２０が中心１０１ａに向かう方向の反対方向に延びる場合においても、頭髪２０１と同一方向に延びることで頭髪２０１を係止しやすくすることができる。かつらベース１０１には、例えば人工毛髪又は人毛である毛髪１０２が植設されている。かつら取付具１は、かつらベース１０１の内側の面に、例えば前後左右の周縁に４つ取付けられるとよい。なお、かつら取付具１をかつらベース１０１に固定する数は、１つ以上であればいくつでもよい。
【００４７】
図８Ｂに示す２つの第２の係止部２０のうちの一方（図８Ｂの右側）のように、第２の係止部２０は、かつらベース１０１の中心１０１ａに向かう方向に延びるものと、その反対方向に延びるものとを有していてもよい。その場合には、第２の係止部２０の延びる２つの方向の両方にかつら１００を固定することができる。なお、第２の係止部２０は、かつらベース１０１の中心１０１ａに向かう方向及びその反対方向のうち少なくとも一方に延びるとよい。
【００４８】
また、第２の係止部２０は、基材３０の厚み方向に交差する方向に延びるのであれば、基材３０のどの側面から突出していてもよい。更には、第２の係止部２０は、根元部２０ｂにおいて基材３０の上面（第１の係止部１０が設けられた面）や底面に固定されて、厚み方向に交差する方向に延びていてもよい。
【００４９】
また、図１０に示すように、第２の係止部２０は、第１の係止部１０と同様に基材３０から厚み方向に突出し、根元部１０ｂ側において厚み方向に交差する方向（矢印Ｄ２）に屈曲する屈曲部２０ｃを有してもよい。この屈曲部２０ｃを形成した第２の係止部２０は、１列分だけ配置されているが、２列分以上配置してもよい。なお、屈曲部２０ｃを有する第２の係止部２０は、上述の、厚み方向に交差する方向に延びるように、屈曲部２０ｃが形成されている。
【００５０】
図１１Ａに示すように、第１の係止部１０の根元部１０ｂは、基材３０の基材本体３１から底面側に突出することがある。その場合、かつら１００の外側からブラシで毛髪１０２の毛流れを形成する際に、ブラシが、かつらベース１０１の表面に接触して、その裏側にある根元部１０ｂの突出部分を擦って異音が生じることがある。
【００５１】
そのため、図１１Ｂに示すように、基材本体３１の底面側に例えば弾性の被覆部３２を設け、この被覆部３２により根元部１０ｂを覆うようにするとよい。被覆部３２は、例えば、基材本体３１に対しゴムシートを貼り付けたり或いはウレタン樹脂をコーティングしたりすることで形成すればよい。
【００５２】
以上説明した本実施の形態では、かつら取付具１は、シート状の基材３０と、この基材３０の厚み方向に延び頭髪２０１を係止する複数の第１の係止部１０と、基材３０の厚み方向交差する方向に延び頭髪２０１を係止する複数の第２の係止部２０と、を備える。
【００５３】
そのため、かつら１００の取付け時に、第１の係止部１０が人の頭皮に向かって頭髪２０１に差し込まれるとともに、第２の係止部２０が人の頭皮に沿った方向に頭髪２０１に差し込まれる。
【００５４】
よって、本実施の形態によれば、簡単かつ確実にかつら１００を人の頭部２００の頭髪２０１に取付けることができる。
【００５５】
また、本実施の形態では、基材３０は、複数の第１の係止部１０−１が設けられた第１の領域３０ａと、この第１の領域３０ａとの間に第１の係止部１０が設けられていない間隙領域３０ｃを隔てて位置し複数の第１の係止部１０−２が設けられた第２の領域３０ｂと、を有する。これにより、第１の係止部１０−１，１０−２は、人の頭部２００や頭髪２０１に接触した際に間隙領域３０ｃ側に傾きやすくなる。そのため、第１の領域３０ａに設けられた複数の第１の係止部１０−１と第２の領域３０ｂに設けられた複数の第１の係止部１０−２とで頭髪２０１を挟み込んで或いは対向して係止することができる。したがって、より一層確実にかつら１００を人の頭部２００の頭髪２０１に取付けることができる。
【００５６】
また、本実施の形態では、図４〜図６に示すように、第１の領域３０ａに設けられた複数の第１の係止部１０−１と、第２の領域３０ｂに設けられた複数の第１の係止部１０−２とは、根元部１０ｂよりも先端で互いに近接するように湾曲する。そのため、第１の領域３０ａに設けられた複数の第１の係止部１０−１と第２の領域３０ｂに設けられた複数の第１の係止部１０−２とで頭髪２０１をより係止しやすくなる。したがって、より一層確実にかつら１００を人の頭部２００の頭髪２０１に取付けることができる。
【００５７】
また、本実施の形態では、図２に示すように、第１の領域３０ａに設けられた複数の第１の係止部１０−１と、第２の領域３０ｂに設けられた複数の第１の係止部１０−２とは、根元部１０ｂよりも先端で互いに近接するように傾斜する。そのため、第１の領域３０ａに設けられた複数の第１の係止部１０−１と第２の領域３０ｂに設けられた複数の第１の係止部１０−２とで頭髪２０１をより係止しやすくなる。したがって、より一層確実にかつら１００を人の頭部２００の頭髪２０１に取付けることができる。
【００５８】
また、本実施の形態では、図３及び図６に示すように、第１の領域３０ａに設けられた複数の第１の係止部１０−１、及び第２の領域３０ｂに設けられた複数の第１の係止部１０−２は、他の第１の係止部１０−１Ａ，１０−２Ａよりも長さが短い複数の第１の係止部１０−１Ｂ，１０−２Ｂを有する。そのため、長さの長い第１の係止部１０−１Ａ，１０−２Ａが柔軟に曲がって頭髪２０１と絡み合い、長さの短い第１の係止部１０−１Ｂ，１０−２Ｂが直立して頭髪２０１にしっかりと差し込まれる。したがって、より一層確実にかつら１００を人の頭部２００の頭髪２０１に取付けることができる。
【００５９】
また、本実施の形態では、第１の領域３０ａ及び第２の領域３０ｂに設けられた長さが短い複数の第１の係止部１０−１Ｂ，１０−２Ｂは、間隙領域３０ｃ側に位置する。そのため、長さの長い第１の係止部１０−１Ａ，１０−２Ａで互いに絡み合い或いは対向するとともに、長さの短い第１の係止部１０−１Ｂ，１０−２Ｂで互いに絡み合い或いは対向することができる。したがって、より一層確実にかつら１００を人の頭部２００の頭髪２０１に取付けることができる。
【００６０】
また、本実施の形態では、複数の第２の係止部２０は、厚み方向のうち第１の係止部１０が延びる方向に向かって湾曲する。これにより、かつら取付具１が取り付けられるかつら１００の曲面に沿って第２の係止部２０が延びる。したがって、より一層確実にかつら１００を人の頭部２００の頭髪２０１に取付けることができる。
【００６１】
また、本実施の形態では、基材３０は、基材本体３１と、この基材本体３１から突出する複数の第１の係止部１０の根元部１０ｂを覆う被覆部３２とを有する。そのため、根元部１０ｂの基材３０からの突出を防ぐことができることで、ブラシが、かつらベース１０１側の表面に接触しても、その裏側にある根元部１０ｂから異音が生じるのを防ぐことができる。
【００６２】
また、本実施の形態では、複数の第２の係止部２０は、かつらベース１０１の中心１０１ａに向かう方向及びその反対方向のうち少なくとも一方に延びる。そのため、より一層確実にかつら１００を人の頭部２００の頭髪２０１に取付けることができる。
【００６３】
なお、本実施の形態では、間隙領域３０ｃが設けられているため、より一層確実にかつら１００を人の頭部２００の頭髪２０１に取付けることができるが、間隙領域３０ｃを省略することも可能ではある。その他にも、かつら取付具１及びかつら１００は、シート状の基材３０と、この基材３０の厚み方向に延び頭髪２０１を係止する複数の第１の係止部１０と、基材３０の厚み方向に交差する方向に延び頭髪２０１を係止する複数の第２の係止部２０と、を備えることに１つの特徴があるため、この特徴以外の構成は、適宜変更することもできる。
【符号の説明】
【００６４】
１      かつら取付具
１０      第１の係止部
１０ａ      先端
１０ｂ      根元部
２０      第２の係止部
２０ａ      先端
２０ｂ      根元部
２０ｃ      屈曲部
３０      基材
３０ａ      第１の領域
３０ｂ      第２の領域
３０ｃ      間隙領域
３１      基材本体
３２      被覆部
１００      かつら
１０１      かつらベース
１０１ａ      中心
１０２      毛髪
２００      人の頭部
２０１      頭髪
【図１】
2014189939.tif 000003
【図２】
2014189939.tif 000004
【図３】
2014189939.tif 000005
【図４】
2014189939.tif 000006
【図５】
2014189939.tif 000007
【図６】
2014189939.tif 000008
【図７Ａ】
2014189939.tif 000009
【図７Ｂ】
2014189939.tif 000010
【図８Ａ】
2014189939.tif 000011
【図８Ｂ】
2014189939.tif 000012
【図９】
2014189939.tif 000013
【図１０】
2014189939.tif 000014
【図１１Ａ】
2014189939.tif 000015
【図１１Ｂ】
2014189939.tif 000016